(57)【特許請求の範囲】
【請求項１】
本体と蓋を着脱自在な携帯式収納具であって、
前記本体の中間部に配される第１内部空間と、
前記第１内部空間の開口面におよそ嵌合し塞ぐことが可能な前記蓋と、
前記蓋を前記本体の開口面に着脱する際に、前記蓋が前記本体に対しておよそ平行を保ちながら前記本体の一端部及び他端部方向に対して斜め方向に前記蓋を案内する手段と、
を具備する、
携帯式収納具。
【発明の詳細な説明】
【技術分野】
【０００１】
本発明は、携帯式収納具に関する。
【背景技術】
【０００２】
携帯式収納具においては、特許文献１の実施例のように、携帯式収納具本体の長手方向に沿ってスライド着脱可能な定規板を、本体の蓋とするアイデアが知られている。
【０００３】
また、携帯式収納具においては、本体とおよそ同じ大きさの蓋を並べ、本体と蓋の平行を保った状態で互いに近付け本体の開口面に蓋を被せるようなアイデアや、本体と蓋の間にヒンジを用いて接続し、ヒンジで揺動させて蓋を開閉するアイデアが広く知られている。
【先行技術文献】
【特許文献】
【０００４】
【特許文献１】実開平０１−１１２９９０号公報
【発明の概要】
【発明が解決しようとする課題】
【０００５】
携帯式収納具においては、蓋を開閉し易く且つ不意に開きにくいことが求められているが、特許文献１の実施例のように本体の長手方向に沿って蓋をスライドさせる案では、本体の内部空間の被収納物の凹凸などにスライドの長距離で蓋が擦れ引っ掛かる問題が頻繁に起こるし、長距離をスライドさせるのは時間がかかり、蓋を開閉し易いとは言えない。
【０００６】
また、本体とおよそ同じ大きさの蓋を並べ、本体と蓋の平行を保った状態で互いに近付け本体の開口面に蓋を被せるようなアイデアでは、蓋を開く方向に携帯時の被収納物の振動を大きく受けるので、蓋が不意に開かないような機構や対策にコストや開閉の手間が増えてしまう。
また、本体と蓋の間にヒンジを用いて接続し、ヒンジで揺動させて蓋を開閉するようなアイデアでは、ヒンジ機構にコストがかかるし、蓋を開いた際の揺動範囲の制限機構にストレスがかかりやすく、故障率が高くなってしまう。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る携帯式収納具は、例えば図１から６の組み、図７から９の組み、のいずれかの組みのように、
本体２１と蓋１を着脱自在な携帯式収納具であって、
本体２１の中間部２５に配される内部空間２６と、
内部空間２６の開口面２７におよそ嵌合し塞ぐことが可能な蓋１と、
蓋１を本体２１の開口面２７に着脱する際に、例えば図４と図５の間の動作、又は図８と図９の間の動作のように、蓋１が本体２１に対しておよそ平行を保ちながら本体２１の一端部２２及び他端部２３方向に対して斜め方向に蓋１を案内する手段と、
を具備する、
携帯式収納具である。
【発明の効果】
【０００９】
以上のように本発明では、蓋１を本体２１の一端部２２及び他端部２３方向に対して斜め方向に案内する手段によって、蓋１をスライドさせる距離が短く且つ斜め方向なので被収納物が擦れ引っ掛かる問題が起こりにくく、且つ携帯時の被収納物の振動を大きく受ける方向と案内する手段が案内する方向が斜めになっているので不意に蓋１が外れにくく、且つシンプルな構造で低コスト低故障率となるような設計が容易となる。
【図面の簡単な説明】
【００１０】
【図１】第１実施形態の蓋１の正面図
【図２】第１実施形態の蓋１の平面図
【図３】第１実施形態の本体２１の平面図
【図４】第１実施形態の蓋１装着準備状態の正面図
【図５】第１実施形態の蓋１装着完了状態の正面図
【図６】第１実施形態の蓋１装着完了状態の右側面図
【図７】第２実施形態の蓋１を第三角法で表した図
【図８】第２実施形態の蓋１装着準備状態の正面図
【図９】第２実施形態の蓋１装着完了状態を第三角法で表した図
【発明を実施するための形態】
【００１１】
本発明の第１実施形態を図１から６に基づいて説明する。
【００１２】
本体２１に蓋１を装着完了すると図５及び６のように丸みをおびたおよそ直方体の携帯式収納具は、図５紙面に垂直な波板で直方体の厚み方向に分割したような外殻２０及び４０を備える構造であり、外殻２０及び４０は境界４１で段差なく滑らかにつながり嵌合している。ここで、蓋１と本体２１は同一形状であるので、本体２１が蓋で、蓋１が本体とすることもできる。
蓋１の長手方向の一端部２には他端部３方向に開口する内部空間４があり、蓋１の長手方向の中間部５では蓋１の厚み方向の一方が開口し、蓋１の他端部３の開口とつながって開口面７は大きく開いている。また蓋１の内側の内部空間６には蓋１の幅方向に離れた二つの設置部１９の間で架設されるゴムバンドによる保持手段８が備えられ、被収納物９であるペンが蓋１の長手方向に沿うように保持手段８によって保持され、被収納物９の一端部１８は他端部３のエッジ１７からはみ出て指先で摘まみ抜き差しし易くなっており、被収納物９の他端部は内部空間４の開口から内部に入って被収納物９がさらに安定して保持されるようになっている。また図２のように、蓋１は幅方向に対称形状である。
また、本体２１の中間部２５の内部空間２６には被収納物２９であるメモ用のリングノートの背表紙だけゴムバンドの保持手段２８で保持されており、エッジ３７からはみ出た一端部３８のリングの部分を中心に表紙をめくってメモすることが出来るし、表紙と内部の用紙を本体２１の外側までおよそ一回転させてやれば用紙の周りに囲い形状が無くなり筆記し易くなる。
また、蓋１の内側には他端部３から中間部５にかけて蓋１の幅方向の両端に囲い形状を備えており、両端の囲い形状同士の外側曲面上の２点間距離は、点１２、点１４、点１３の順に長くなっている。また、本体２１の一端部２２寄りの中間部２５に、本体２１の幅方向の両端の外殻４０による挟持形状の内側最短距離の挟持点３６が、図４の蓋１装着準備状態で点１４付近を挟んでおり、ここから挟持形状のエッジ３０が囲い形状の外側の外殻２０のエッジ１１に当接して斜め方向に案内されることで、本体２１の長手方向である一端部２２及び他端部２３方向に対して蓋１が斜め方向に案内される。また、同時に外殻２０のエッジ１０も外殻４０のエッジ３１に当接して同様に案内されるので、蓋１は本体２１に対しておよそ平行を保ちながら安定して斜め方向に案内されるので、ペンの一端部１８はスムーズに内部空間２４に収まり、保持手段８及び被収納物２９が擦れたりせず、リングノートの一端部３８のリングは内部空間４に空きが十分あれば収まり、無ければリングがエッジ３７の内側に収まることで、図５及び６のような蓋１装着完了状態となる。
また、蓋１装着完了状態では挟持点３６が点１２付近を挟んでおり、点１２から点１３方向に進むよりも点１４方向に進む方が、両端の囲い形状の外側曲面上の２点間距離がなだらかに長くなり且つ最長値も小さいので、挟持点３６を有する挟持形状の弾性変形による付勢力が２点間距離が長くなると上昇するよう追従することから、蓋１を斜めに案内中はエッジ１１及び３０が離れにくい力が働く領域を通るのでより安定して斜めに着脱案内出来、且つ挟持点３６が点１２付近に留まり易い力が挟持形状の弾性変形による付勢力によって発生する。ここで、蓋１装着完了状態で挟持点３６の２点間距離と点１２の２点間距離を同じあるいは挟持点３６の方を少し長くして、挟持形状を弾性変形させないことで、蓋１装着完了状態で高温環境保管された際などの挟持形状の塑性変形を防ぐことが出来る。このとき、ガタつきをしっかり抑えたい場合は、弾性変形領域の余裕のある範囲でわずかに弾性変形させる設計でも良いだろう。また、挟持点１６の方も同様の設計である。
【００１３】
また、被収納物９としてペンの代わりに刷毛を収納しておき、蓋１のエッジ１７又は本体２１のエッジ３７を塵取りのエッジとし、刷毛をほうきとして使用しても良いだろう。
【００１４】
本発明の第２実施形態は第１実施形態と共通する部分が多いので、主に違いについて図７から９に基づいて説明する。
【００１５】
本体２１に蓋１を装着完了すると図９のように細い楕円球状となる携帯式収納具も、蓋１と本体２１は同一形状であるので、本体２１が蓋で、蓋１が本体とすることもできる。
蓋１の内側には他端部３から中間部５にかけておよそテーパー状に太くなり斜面１５でカットされたような円筒形状を備えており、外周径方向の両端の２点間距離は、点１２、点１４、点１３の順に長くなっている。また、円筒形状の内周が保持手段となって被収納物９であるペン芯を保持しており、一端部１８のペン先は他端部３のエッジ１７からはみ出ており、図７のような状態で円筒形状を指先で摘まんでペンとしてそのまま使用できる。また、本体２１も被収納物２９としてペン芯を保持しており、一端部３８のペン先を使用してペンとしてそのまま使用できる。
また、図８のような蓋１装着準備状態では、斜面１５と本体２１側の円筒形状の斜面３５が当接しており、図８の蓋１装着準備状態から図９の蓋１装着完了状態に移行する途中で斜面１５及び３５による斜め方向の案内から、第１実施形態のようなエッジ１１及び３０による斜め方向の案内に移行させて、出来るだけ境界４１で密着して外殻２０及び４０が嵌合するようにしている。ここで、第１実施形態のように斜面１５及び３５を使用しない設計や、あるいはエッジ１０、１１、３０及び３１を使用しない設計でも、蓋１を斜め方向に案内する手段となる。また、第１実施形態の方に斜面１５及び３５を使用する設計を用いても良い。
図８から図９の状態への移行では、一端部１８及び３８のペン先はそれぞれ内部空間２４及び４にスムーズに収まり、被収納物９及び２９が互いに引っ掛かったり擦れたりしない。
また、被収納物としてのペン芯とは、フェルトペン、ボールペン、筆ペン、万年筆、化粧用ペン、スタイラスペン、くり出し式の鉛筆、などの芯が考えられるし、ペン芯の代わりにくり出し式の消しゴムやナイフの刃なども良いだろう。
【符号の説明】
【００１６】
１.                                     蓋
２,１８,２２,３８.           一端部
３,２３.                             他端部
５,２５.                             中間部
４,６,２４,２６.               内部空間
７,２７.                             開口面
８,２８.                             保持手段
９,２９.                             被収納物
１０,１１,１７,
３０,３１,３７.                エッジ
１２,１３,１４,
３２,３３,３４.                点
１５,３５.                         斜面
１６,３６.                         挟持点
１９,３９.                        設置部
２０,４０.                         外殻
２１.                                 本体
４１.                                  境界
【要約】      （修正有）【課題】不意に蓋が外れにくく、且つシンプルな構造で、消しゴムのような小物を内部空間に収納したり、蓋の内側に保持された被収納物の一端部を収納したりと、様々な収納方法が選べ、より便利な携帯式収納具を提供する。【解決手段】本体２１の一端部及び他端部方向に対して斜め方向に蓋１を案内する手段を備える。蓋１装着準備状態で挟持形状のエッジ３０が囲い形状の外側の外殻２０のエッジ１１に当接して斜め方向に案内されることで、本体２１の長手方向である一端部及び他端部方向に対して蓋１が斜め方向に案内される。【選択図】図５【図１】
0006864415.tif 000002
【図２】
0006864415.tif 000003
【図３】
0006864415.tif 000004
【図４】
0006864415.tif 000005
【図５】
0006864415.tif 000006
【図６】
0006864415.tif 000007
【図７】
0006864415.tif 000008
【図８】
0006864415.tif 000009
【図９】
0006864415.tif 000010